(57)【要約】【課題】多様なオーディオ再生が可能な情報再生装置を提供すること。【解決手段】この発明の一例の情報再生装置は、ビデオデータ、このビデオデータに同期した第１のオーディオデータ、このビデオデータに非同期な第２のオーディオデータ、ビデオデータを構成する所定単位データの再生順序を規定した第１の再生情報、及び第１の再生情報により規定される所定単位データの一連の再生に対応して第２のオーディオデータを再生させるための第２の再生情報が記録された情報記憶媒体からデータを読み出す手段（２）と、第１の再生情報に基づきビデオデータを再生する手段（３、４、５、８、１４）と、ビデオデータの再生に同期して第１のオーディオデータを再生する処理、及び第２の再生情報に基づき第２のオーディオデータを再生する処理のうちのどちらか一方の再生処理を選択し実行する手段（３、４、１０、１１、１２、１４）とを備えている。【選択図】      図１
2005346767.tif 000002
【特許請求の範囲】
【請求項１】
ビデオデータ、このビデオデータに同期した第１のオーディオデータ、このビデオデータに非同期な第２のオーディオデータ、前記ビデオデータを構成する所定単位データの再生順序を規定した第１の再生情報、及び前記第１の再生情報により規定される所定単位データの一連の再生に対応して前記第２のオーディオデータを再生させるための第２の再生情報が記録された情報記憶媒体からデータを読み出す読出手段と、
前記第１の再生情報に基づき前記ビデオデータを再生するビデオデータ再生手段と、
前記ビデオデータの再生に同期して前記第１のオーディオデータを再生する第１の再生処理、及び前記第２の再生情報に基づき前記第２のオーディオデータを再生する第２の再生処理のうちのどちらか一方の再生処理を選択しどちらか一方のオーディオデータを再生するオーディオデータ再生手段と、
を備えたことを特徴とする情報再生装置。
【請求項２】
前記オーディオデータ再生手段は、前記情報記憶媒体に記録された再生モード選択情報に基づき、前記第１の再生処理及び前記第２の再生処理のうちのどちらか一方の再生処理を選択しどちらか一方のオーディオデータを再生することを特徴とする請求項１に記載の情報再生装置。
【請求項３】
前記第２のオーディオデータは、複数のエントリーポイントにより先頭位置が示された複数のオーディオデータパートを含み、
前記第２の再生情報は、前記第２のオーディオデータの再生開始位置を指定するエントリーポイント及び再生終了位置を指定するエントリーポイントを含み、
前記オーディオデータ再生手段は、前記第１の再生情報により規定される所定単位データの一連の再生に対応して、前記第２の再生情報に含まれる再生開始位置を指定するエントリーポイント及び再生終了位置を指定するエントリーポイントにより１又は連続する複数個のオーディオデータパートを選出し、選出した１又は連続する複数個のオーディオデータパートを繰り返し再生することにより、前記第２の再生処理を実行する、
ことを特徴とする請求項１に記載の情報再生装置。
【請求項４】
前記オーディオデータ再生手段により選出されたオーディオデータパートの数を案内する案内手段を備えたことを特徴とする請求項３に記載の情報再生装置。
【請求項５】
前記オーディオデータ再生手段により選出され再生中のオーディオデータパートに関する情報を案内する案内手段を備えたことを特徴とする請求項３に記載の情報再生装置。
【請求項６】
前記オーディオデータ再生手段により選出された複数個のオーディオデータパートを表示するとともに、再生中のオーディオデータパートを特定表示することにより、複数個のオーディオデータパートの中の再生中のオーディオデータパートの位置を案内する案内手段を備えたことを特徴とする請求項３に記載の情報再生装置。
【請求項７】
前記オーディオデータ再生手段により選出された複数個のオーディオデータパートの中の所定のオーディオデータパートの選択入力を受け付ける入力手段を備え、
前記オーディオデータ再生手段は、前記選択入力に基づき、前記複数個のオーディオデータパートの中から所定のオーディオデータパートをサーチし、サーチした所定のオーディオデータパートを再生する、
ことを特徴とする請求項３に記載の情報再生装置。
【請求項８】
ビデオデータ、このビデオデータに同期した第１のオーディオデータ、このビデオデータに非同期な第２のオーディオデータ、前記ビデオデータを構成する所定単位データの再生順序を規定した第１の再生情報、及び前記第１の再生情報により規定される所定単位データの一連の再生に対応して前記第２のオーディオデータを再生させるための第２の再生情報が記録された情報記憶媒体からデータを読み出し、
前記第１の再生情報に基づき前記ビデオデータを再生し、
前記ビデオデータの再生に同期して前記第１のオーディオデータを再生する第１の再生処理、及び前記第２の再生情報に基づき前記第２のオーディオデータを再生する第２の再生処理のうちのどちらか一方の再生処理を選択しどちらか一方のオーディオデータを再生する、
ことを特徴とする情報再生方法。
【請求項９】
前記第２のオーディオデータは、複数のエントリーポイントにより先頭位置が示された複数のオーディオデータパートを含み、
前記第２の再生情報は、前記第２のオーディオデータの再生開始位置を指定するエントリーポイント及び再生終了位置を指定するエントリーポイントを含み、
前記第２の再生処理は、前記第１の再生情報により規定される所定単位データの一連の再生に対応して、前記第２の再生情報に含まれる再生開始位置を指定するエントリーポイント及び再生終了位置を指定するエントリーポイントにより１又は連続する複数個のオーディオデータパートを選出し、選出した１又は連続する複数個のオーディオデータパートを繰り返し再生する処理である、
ことを特徴とする請求項８に記載の情報再生方法。
【発明の詳細な説明】
【技術分野】
【０００１】
本発明は、ＤＶＤなどの光ディスクを再生する情報再生装置及び情報再生方法に関する。
【背景技術】
【０００２】
近年、様々な規格のＤＶＤが普及している。例えば、ＤＶＤ Ｖｉｄｅｏ規格によると、一つの完結したコンテンツは、タイトルと呼ばれる単位でディスク上に記録される。このタイトルは、１個以上のＰＧＣ（Program Chain）で構成される。ＰＧＣは、タイトル又はメニューの全体あるいは一部を再生する論理単位である。ＰＧＣは、再生順にセルを指定するリストを記述したＰＧＣ情報（ＰＧＣＩ）と、再生される一個以上のセルとから構成される。セルは、コンテンツの基本単位を構成する。一つのセルは、異なるＰＧＣで用いることができる。
【０００３】
また、タイトルを構成するストリームデータとして、ＶＯＢ（Video Object）が定義されている。ＶＯＢは、パック構造のデータ、つまりナビパック、ビデオパック、オーディオパック、副映像パック、グラフィックパックのデータにより構成されている。ナビゲーションパックには、再生制御情報が記録されている。ビデオパックには、ビデオデータが記録されている。オーディオパックには、オーディオデータが記録されている。副映像パックには、副映像データが記録されている。グラフィックパックには、グラフィックデータが記録されている。ビデオデータ、オーディオデータ、副映像データ、グラフィックデータは、ナビパックに記録されている時刻情報により同期して再生される。
【０００４】
このため、例えば、メニュー画面において、サーチが実行されている間（メニューの遷移中）は、ＶＯＢにより音声を出力することはできない。結果的に、メニュー画面において、サーチが実行されている間（メニューの遷移中）は、無音状態となってしまう。
【０００５】
これに対して、例えば、プレイヤーが自動的に作成するメニューにおいて、曲中の特徴的な部分に相当するスポットライト区間を再生する技術が開示されている（特許文献１参照）。
【特許文献１】特開２００１−５２４６７
【発明の開示】
【発明が解決しようとする課題】
【０００６】
しかしながら、上記した特許文献１に開示されたオーディオデータの再生は、ユーザー側の使い勝手の点で、いくつかの問題がある。例えば、メニュー画面の遷移中に、オーディオデータの再生を必要とするユーザー又は不要とするユーザーがいるにも拘わらず、選択の余地がない。あるいは、既に視聴したオーディオデータ以外のオーディオデータを再生したくても、選択の余地がない。また、再生対象となっているオーディオデータがどの程度あるのか、また現在再生中のオーディオデータは再生対象となっているオーディオデータのうちのどのあたりのデータなのかを知ることもできない。
【０００７】
本発明の目的は、上記課題を解決するためになされたものであり、ユーザーの要望に応じた様々なオーディオ再生が可能な情報再生装置及び情報再生方法を提供することにある。
【課題を解決するための手段】
【０００８】
この発明の情報再生装置は、以下のように構成されている。
【０００９】
（１）この発明の情報再生装置は、ビデオデータ、このビデオデータに同期した第１のオーディオデータ、このビデオデータに非同期な第２のオーディオデータ、前記ビデオデータを構成する所定単位データの再生順序を規定した第１の再生情報、及び前記第１の再生情報により規定される所定単位データの一連の再生に対応して前記第２のオーディオデータを再生させるための第２の再生情報が記録された情報記憶媒体からデータを読み出す読出手段と、前記第１の再生情報に基づき前記ビデオデータを再生するビデオデータ再生手段と、前記ビデオデータの再生に同期して前記第１のオーディオデータを再生する第１の再生処理、及び前記第２の再生情報に基づき前記第２のオーディオデータを再生する第２の再生処理のうちのどちらか一方の再生処理を選択しどちらか一方のオーディオデータを再生するオーディオデータ再生手段とを備えている。
【００１０】
（２）この発明の情報再生方法は、ビデオデータ、このビデオデータに同期した第１のオーディオデータ、このビデオデータに非同期な第２のオーディオデータ、前記ビデオデータを構成する所定単位データの再生順序を規定した第１の再生情報、及び前記第１の再生情報により規定される所定単位データの一連の再生に対応して前記第２のオーディオデータを再生させるための第２の再生情報が記録された情報記憶媒体からデータを読み出し、前記第１の再生情報に基づき前記ビデオデータを再生し、前記ビデオデータの再生に同期して前記第１のオーディオデータを再生する第１の再生処理、及び前記第２の再生情報に基づき前記第２のオーディオデータを再生する第２の再生処理のうちのどちらか一方の再生処理を選択しどちらか一方のオーディオデータを再生する。
【発明の効果】
【００１１】
本発明によれば、ユーザーの要望に応じた様々なオーディオ再生が可能な情報再生装置及び情報再生方法を提供できる。
【発明を実施するための最良の形態】
【００１２】
以下、図面を参照して本発明の実施形態について説明する。
【００１３】
図１は、本発明の一実施形態の情報再生装置の概略構成を示す図である。
【００１４】
情報再生装置は、記録媒体である光ディスク１を再生する。この光ディスク１には、ビデオデータと、ビデオデータに同期して再生される第１のオーディオデータと、ビデオデータとは非同期に再生可能な第２のオーディオデータが記録されている。さらに、この光ディスク１には、ビデオデータを構成する所定単位データ（セル）の再生順序を規定したＰＧＣ情報（ＰＧＣＩ）を含むＰＧＣ、及びＰＧＣ情報により規定される所定単位データの一連の再生に対応して第２のオーディオデータを再生させるためのＥＡＯＢ（Elementary Audio Object）再生情報が記録されている。
【００１５】
補足すると、ＥＡＯＢ再生情報は、ＰＧＣ毎に割り当てられる情報である。ＰＧＣは、タイトル又はメニューの全体あるいは一部を再生する論理単位である。ＰＧＣは、所定単位のデータ（セル）の再生の順序と実体が記述されたＰＧＣ情報（ＰＧＣＩ）と、再生される所定単位のデータにより構成される。
【００１６】
ビデオデータとビデオデータに同期して再生される第１のオーディオデータは、ＥＶＯＢ（Enhanced Video Object）で構成されている。このビデオデータとは非同期に再生可能な第２のオーディオデータは、ＥＡＯＢ（Elementary Audio Object）で構成されている。
【００１７】
ＥＶＯＢは、ナビゲーションデータ、ビデオデータ、オーディオデータ（第１のオーディオデータ）、副映像データ、グラフィックデータ等の複数のデータで構成されたオブジェクトである。一方のＥＡＯＢは、オーディオデータ（第２のオーディオデータ）のみで構成されたオブジェクトである。
【００１８】
また、情報再生装置は、ディスクドライブ部２、ストリームバッファ部３、ストリームデコーダ部４、ビデオデコーダ部５、副映像デコーダ部６、グラフィックデコーダ部７、表示制御部８、モニタ部９、ＥＡＯＢバッファ部１０、オーディオデコーダ部１１、Ｄ／Ａ部１２、スピーカ部１３、システム制御部１４、キー入力部１５、パネル表示部１６を備えている。
【００１９】
ディスクドライブ部２は、光ディスク１を回転駆動させると共に、光ディスク１に記録されている記録データを光ディスク１より読み出し、読み出した信号を復調し、復調されたデータのエラーを訂正する。ストリームバッファ部３は、ディスクドライブ部２から出力されるデータをバッファリングする。ストリームデコーダ部４は、ストリームバッファ部３にバッファリングされたストリームデータをビデオデータで構成されるビデオパック、副映像データで構成される副映像パック、グラフィックデータで構成されるグラフィックパック、オーディオデータ（第１のオーディオデータ）で構成されるオーディオパックの４つに切り分け、それぞれのデータに記録された転送時間とデータの種別を示すＩＤデータを参照して、各データをビデオデコーダ部５、副映像デコーダ部６、グラフィックデコーダ部７、及びオーディオデコーダ部１１へ転送する。
【００２０】
ビデオデコーダ部５は、ストリームデコーダ部４から転送されたビデオデータをデコードし、表示制御部８ヘデコードデータを転送する。副映像デコーダ部６は、ストリームデコーダ部４から転送された副映像データをデコードし、表示制御部８ヘデコードデータを転送する。グラフィックデコーダ部７は、ストリームデコーダ部４から転送されたグラフィックデータをデコードし、表示制御部８ヘデコードデータを転送する。
【００２１】
表示制御部８は、ビデオデコーダ部５、副映像デコーダ部６、及びグラフィックデコーダ部７から出力されたディジタル信号をアナログ信号に変換し、多重化する。また、表示制御部８は、システム制御部１４から設定されるＯＳＤ（On Screen Data）と各デコーダからのデータの多重化も行う。モニタ部９は、表示制御部８から出力されるデータを画像として再生することにより、各種情報をユーザーに対して案内する。
【００２２】
ＥＡＯＢバッファ部１０は、ディスクドライブ部２から出力されるＥＡＯＢデータのバッファリングを行う。オーディオデコーダ部１１は、ストリームデコーダ部４から転送されたＥＶＯＢのオーディオデータ（第１のオーディオデータ）及びＥＡＯＢバッファ部１０にバッファリングされているＥＡＯＢデータ（第２のオーディオデータ）のどちらか一方をデコードし、Ｄ／ＡＢ１２ヘデコードデータを転送する。ＥＶＯＢのオーディオデータ（第１のオーディオデータ）及びＥＡＯＢデータ（第２のオーディオデータ）のどちらのデータをデコードするかは、システム制御部１４が決定する。Ｄ／Ａ部１２は、オーディオデコーダ部１１から出力されたディジタル信号をアナログ信号に変換する。スピーカ部１３は、Ｄ／Ａ部１２から出力されるデータを音声として再生する。
【００２３】
システム制御部１４は、ディスクドライブ部２、ストリームバッファ部３、ストリームデコーダ部４、ビデオデコーダ部５、副映像デコーダ部６、グラフィックデコーダ部７、表示制御部８、ＥＡＯＢバッファ部１０、オーディオデコーダ部１１、Ｄ／Ａ部１２を制御し、ユーザー操作に対応する再生処理を実行する。
【００２４】
キー入力部１５は、ユーザーからの指示要求を受け付ける。パネル表示部１６は、ディスク情報や再生情報を表示する。
【００２５】
図２は、光ディスク１に記録されているＥＡＯＢ管理情報の一例を示す図である。
【００２６】
ＥＡＯＢ＿ＳＡ（Ｍ０１）には、ＥＡＯＢの開始アドレスが記録されている。ＥＡＯＢ＿Ｎｓ（Ｍ０２）には、光ディスク１内のＥＡＯＢ数が記録されている。光ディスク内にＥＡＯＢが存在しない場合、ＥＡＯＢ＿Ｎｓ（Ｍ０２）には‘０’が記録されている。ＥＡＯＢ＿ＡＴＲ（Ｍ０３）には、チャンネル数などのＥＡＯＢの属性が記録されている。
【００２７】
図３は、光ディスク１に記録されているＥＡＯＢのエントリーポイント情報の一例を示す図である。
【００２８】
ＥＡＯＢは、最大７個までエントリーポイントを持つことが許されている。ＥＡＯＢ＿ＥＡ（Ｅ０１）には、ＥＡＯＢの終了アドレスが記録されている。
【００２９】
ＥＰ＃１（Ｅ０２）には、ＥＡＯＢの第１エントリーポイントが記録されている。
【００３０】
ＥＰ＃２（Ｅ０３）には、ＥＡＯＢの第２エントリーポイントが記録されている。第２のエントリーポイントが存在しない場合、ＥＰ＃２（Ｅ０３）には、‘０’が記録されている。
【００３１】
ＥＰ＃３（Ｅ０４）には、ＥＡＯＢの第３エントリーポイントが記録されている。第３のエントリーポイントが存在しない場合、ＥＰ＃３（Ｅ０４）には、‘０’が記録されている。
【００３２】
ＥＰ＃４（Ｅ０５）には、ＥＡＯＢの第４エントリーポイントが記録されている。第４のエントリーポイントが存在しない場合、ＥＰ＃４（Ｅ０５）には、‘０’が記録されている。
【００３３】
ＥＰ＃５（Ｅ０６）には、ＥＡＯＢの第５エントリーポイントが記録されている。第５のエントリーポイントが存在しない場合、ＥＰ＃５（Ｅ０６）には、‘０’が記録されている。
【００３４】
ＥＰ＃６（Ｅ０７）には、ＥＡＯＢの第６エントリーポイントが記録されている。第６のエントリーポイントが存在しない場合、ＥＰ＃６（Ｅ０７）には、‘０’が記録されている。
【００３５】
ＥＰ＃７（Ｅ０８）には、ＥＡＯＢの第７エントリーポイントが記録されている。第７のエントリーポイントが存在しない場合、ＥＰ＃７（Ｅ０８）には、‘０’が記録されている。
【００３６】
図４は、光ディスク１に記録されているＥＡＯＢ再生情報の一例を示す図である。
【００３７】
Ｓｅｌｅｃｔｉｏｎ（Ｎ０１）には、ＥＡＯＢの再生を行うか否かの情報（再生モード選択情報）が記録されている。ＥＡＯＢの再生が許可されていない場合には、ＥＶＯＢに記録されているオーディオデータ（第１のオーディオデータ）の再生が行われる。
【００３８】
Ｓｔａｒｔ Ｐｏｉｎｔ（Ｎ０２）には、再生開始のエントリーポイント番号が記録されている。Ｓｔａｒｔ Ｐｏｉｎｔ（Ｎ０２）は、１から７までの値をとる。
【００３９】
Ｅｎｄ Ｐｏｉｎｔ（Ｎ０３）は、再生終了のエントリーポイント番号が記録されている。Ｅｎｄ Ｐｏｉｎｔ（Ｎ０３）は、０または、２から７までの値をとる。Ｅｎｄ Ｐｏｉｎｔ（Ｎ０３）が０の場合は、ＥＡＯＢの終了アドレスであるＥＡＯＢ＿ＥＡ（Ｅ０１）が再生終了位置となる。
【００４０】
再生装置は、ＥＡＯＢ再生情報に記録されている再生開始のエントリーポイント番号から再生終了のエントリーポイント番号までに対応するＥＡＯＢを繰り返し再生する。ＥＡＯＢ再生情報は、ＰＧＣ毎に付加することが可能となっている。
【００４１】
図５は、ＥＶＯＢのデータ構成の一例を示す図である。
【００４２】
ＥＶＯＢは、パック構造のデータ、つまりナビパック（Ｖ０１）、ビデオパック（Ｖ０２）、オーディオパック（Ｖ０３）、副映像パック（Ｖ０４）、グラフィックパック（Ｖ０５）のデータにより構成されている。
【００４３】
ナビゲーションパック（Ｖ０１）には、再生制御情報が記録されている。ビデオパック（Ｖ０２）には、ビデオデータが記録されている。オーディオパック（Ｖ０３）には、オーディオデータ（第１のオーディオデータ）が記録されている。副映像パック（Ｖ０４）には、副映像データが記録されている。グラフィックパック（Ｖ０５）には、グラフィックデータが記録されている。ビデオデータ、オーディオデータ（第１のオーディオデータ）、副映像データ、グラフィックデータは、ナビパック（Ｖ０１）に記録されている時刻情報により同期して再生される。
【００４４】
図６は、ＥＡＯＢのデータ構成の一例を示すとともに、ＥＡＯＢの再生の一例を示す図である。
【００４５】
ＥＡＯＢの先頭には、Ｈｅａｄｅｒ情報が用意されており、Ｈｅａｄｅｒ情報には図３に示したエントリーポイントが定義されている。Ｈｅａｄｅｒ情報の後には、ＥＡＯＢのオーディオデータ（Part of Audio #1,#2,…）、つまり第２オーディオデータが続く構成になっている。
【００４６】
例えば、図６に示すように、ＥＡＯＢが、７つのエントリーポイントを持ち、Ｓｔａｒｔ Ｐｏｉｎｔ（Ｎ０２）がＥＰ＃４であり、Ｅｎｄ Ｐｏｉｎｔ（Ｎ０３）がＥＰ＃７の場合について説明する。この場合、ビデオデータの再生とは非同期に、ＥＰ＃４からＥＰ＃７の間のＥＡＯＢ再生が繰り返される。
【００４７】
図７は、ＥＡＯＢ再生処理の第１ステップとしてのエントリーポイントの取得処理の一例を示すフローチャートである。システム制御部１４の制御に基づき、ＥＡＯＢ再生処理は実行される。
【００４８】
システム制御部１４は、ディスクドライブ部２によりディスク１から読み出されたＥＡＯＢに関する情報を取得する。まず、システム制御部１４は、ＥＡＯＢの開始アドレスであるＥＡＯＢ＿ＳＡ（Ｍ０１）を取得する（Ａ０１）。ＥＡＯＢ＿ＳＡ（Ｍ０１）は、ディスク内のある位置からの相対アドレスで記録されている。相対アドレスは、絶対アドレスへ変換される。
【００４９】
さらに、システム制御部１４は、ＥＡＯＢの有無を確認するためにＥＡＯＢ＿Ｎｓを取得する（Ａ０２）。システム制御部１４は、取得したＥＡＯＢ＿ＮｓからＥＡＯＢが存在するかどうかを判定する（Ａ０３）。
【００５０】
システム制御部１４は、ＥＡＯＢが存在しないと判定すると（Ａ０３、ＮＯ）、ＥＡＯＢ再生処理を終了させる。システム制御部１４は、ＥＡＯＢが存在すると判定すると（Ａ０３、ＹＥＳ）、全てのエントリーポイント（Ｅ０１からＥ０８）を取得する（Ａ０４）。
【００５１】
ＥＡＯＢは、ディスク内に一つしか存在しない。この為、この第１ステップは、ディスクが交換されない限り、１度のみ実行すればよい。
【００５２】
図８は、ＥＡＯＢ再生処理の第２ステップとしてのＥＡＯＢの再生可否及びＥＡＯＢ再生区間決定処理の一例を示すフローチャートである。
【００５３】
システム制御部１４は、ＥＡＯＢが存在しないと判定すると（Ｂ０１、ＮＯ）、ＥＶＯＢのオーディオデータ（第２のオーディオデータ）を再生する（Ｂ０６）。
【００５４】
システム制御部１４は、ＥＡＯＢが存在すると判定すると（Ｂ０１、ＹＥＳ）、Ｓｅｌｅｃｔｉｏｎ（Ｎ０１）を取得する（Ｂ０２）。システム制御部１４は、取得したＳｅｌｅｃｔｉｏｎ（Ｎ０１）からＥＡＯＢの再生が許可されているかを判定する（Ｂ０３）。
【００５５】
システム制御部１４は、ＥＡＯＢの再生が許可されていないと判定すると（Ｂ０３、ＮＯ）、ＥＶＯＢのオーディオデータ（第２のオーディオデータ）を再生する（Ｂ０６）。システム制御部１４は、ＥＡＯＢの再生が許可されていると判定すると（Ｂ０３、ＹＥＳ）、Ｓｔａｒｔ Ｐｏｉｎｔ（Ｎ０２）、Ｅｎｄ Ｐｏｉｎｔ（Ｎ０３）を取得する（Ｂ０４）。
【００５６】
システム制御部１４は、取得したＳｔａｒｔ Ｐｏｉｎｔ（Ｎ０２）、Ｅｎｄ Ｐｏｉｎｔ（Ｎ０３）により、再生区間のＰａｒｔ数を算出し（Ｂ０５）、ＥＡＯＢ及びＥＶＯＢの再生を開始する（Ｂ０６）。再生区間のＰａｒｔ数算出処理は、図１０に別途示す。
【００５７】
図９は、ＥＡＯＢ再生処理の第３ステップとしてのＰａｒｔ数表示処理及び再生中のＰａｒｔ番号表示処理の一例を示すフローチャートである。
【００５８】
システム制御部１４は、ＥＡＯＢを再生中かどうか判定する（Ｃ０１）。システム制御部１４は、ＥＡＯＢが再生中でないと判定した場合（ＥＶＯＢは再生中である）（Ｃ０１、ＮＯ）、表示制御部８へＯＳＤを送信し、ＥＡＯＢが再生中でない旨をモニタ部９へ表示出力する（Ｃ０２）。
【００５９】
システム制御部１４は、ＥＡＯＢが再生中であると判定した場合は（Ｃ０１、ＹＥＳ）、現在の再生アドレスを取得する（Ｃ０３）。システム制御部１４は、取得した現在の再生アドレスと次のエントリーポイントのアドレスを比較する（Ｃ０４）。
【００６０】
システム制御部１４は、現在の再生アドレスより次のエントリーポイントのアドレスが大きいと判定した場合（Ｃ０４、ＮＯ）、現在のＰａｒｔ番号、Ｐａｒｔ数をモニタ部９へ表示出力する（Ｃ０８）。システム制御部１４は、現在の再生アドレスより次のエントリーポイントのアドレスが小さいもしくは同じであると判定した場合（Ｃ０４、ＹＥＳ）、現在の再生アドレスが最終エントリーポイントに相当するか否かを判定する（Ｃ０５）。
【００６１】
システム制御部１４は、現在の再生アドレスが最終エントリーポイントに相当すると判定した場合（Ｃ０５、ＹＥＳ）、ＥＡＯＢデータを繰り返し再生するために、Ｐａｒｔ番号をリセットする（Ｃ０６）。図６に示す例で説明すると、現在の再生アドレスが最終エントリーポイント（ＥＰ＃７）に相当すると、Ｐａｒｔ番号をリセットし、Ｓｔａｒｔ Ｐｏｉｎｔ（Ｎ０２）に戻り、最初のＰａｒｔ番号の再生を開始する。システム制御部１４は、現在の再生アドレスが最終エントリーポイントに相当しないと判定した場合（Ｃ０５、ＮＯ）、Ｐａｒｔ番号をカウントアップする（Ｃ０７）。
【００６２】
システム制御部１４は、リセット又はカウントアップしたＰａｒｔ番号、及び再生の対象となるＰａｒｔ数をモニタ部９へ表示出力する（Ｃ０８）。
【００６３】
システム制御部１４は、キー入力部１５を介してユーザーからの再生Ｐａｒｔ番号変更要求を受けた場合には、再生Ｐａｒｔ番号サーチ処理を行う（Ｃ０９）。再生Ｐａｒｔ番号サーチ処理は、図１１に別途示す。
【００６４】
システム制御部１４は、再生が停止するまで、Ｐａｒｔ番号を更新（Ｃ０７）又はリセット（Ｃ０６）し、Ｐａｒｔ番号及びＰａｒｔ数の表示処理を繰り返す（Ｃ１０）。
【００６５】
図１０は、再生区間のＰａｒｔ数算処理の一例を示すフローチャートである。
【００６６】
システム制御部１４は、ＥＰ＃１（Ｅ０２）からＥＰ＃７（Ｅ０８）までの間のうち、Ｓｔａｒｔ Ｐｏｉｎｔ（Ｎ０２）に記録されたエントリーポイントからＥＰ＃７（Ｅ０８）のエントリーポイントまでのエントリーポイントの存在を確認する（Ｄ０１）。Ｓｔａｒｔ Ｐｏｉｎｔ（Ｎ０２）に記録されたエントリーポイントからＥＰ＃７（Ｅ０８）のエントリーポイントまでの間のエントリーポイント数が０であれば、再生対象データは存在しないことになる。
【００６７】
システム制御部１４は、再生対象のデータが存在することを確認した上で（Ｄ０１、ＹＥＳ）、再生対象となるエントリーポイント数をカウントする（Ｄ０２）。システム制御部１４は、Ｓｔａｒｔ Ｐｏｉｎｔ（Ｎ０２）に記録されたエントリーポイントからＥＰ＃７（Ｅ０８）までのエントリーポイントの確認を終えると、Ｐａｒｔ数算出処理は終了となる（Ｄ０３）。
【００６８】
図１１は、ユーザーからの再生Ｐａｒｔ番号変更要求に対応する再生Ｐａｒｔ番号サーチ処理の一例を示すフローチャートである。
【００６９】
システム制御部１４は、常時、キー入力部１５を介してユーザーからの再生Ｐａｒｔ番号変更要求（選択入力）があるか否かをチェックする（Ｆ０１）。システム制御部１４は、再生Ｐａｒｔ番号変更要求（選択入力）を受けなければ（Ｆ０１、ＮＯ）、再生Ｐａｒｔ番号サーチ処理を実行しない。システム制御部１４は、再生Ｐａｒｔ番号変更要求（選択入力）を受けると（Ｆ０１、ＹＥＳ）、ユーザーから変更が指定された再生Ｐａｒｔ番号（選択された再生Ｐａｒｔ番号）が現在再生中のＥＡＯＢのＰａｒｔ数（図１０に示すＰａｒｔ数算出処理により取得済み）に含まれサーチが可能か否かを判定する（Ｆ０２）。つまり、指定された再生Ｐａｒｔ番号が再生可能か否かを判定する。
【００７０】
システム制御部１４は、指定された再生Ｐａｒｔ番号をサーチ不能と判定すると、現在再生中のＥＡＯＢの再生を続ける。システム制御部１４は、指定された再生Ｐａｒｔ番号をサーチ可能と判定すると、現在再生中のＥＡＯＢの再生のみを停止し（Ｆ０３）、指定された再生Ｐａｒｔ番号に対応するエントリーポイント（Ｅ０２からＥ０７のうちの一つ）を取得し、指定された再生Ｐａｒｔ番号（取得したエントリーポイント）の再生を開始する（Ｆ０４）。
【００７１】
以上のように、本発明の情報再生装置は、ＥＡＯＢの再生処理において、再生対象となるＰａｒｔ数（再生区間のＰａｒｔ数）と現在再生中のＰａｒｔ番号を算出し、これらの情報を表示する。これにより、ユーザーは、ＥＡＯＢの再生の全容を把握することができ、所望のＰａｒｔ番号を指定し所望の情報を視聴することができる。つまり、本発明の情報再生装置は、ＰＧＣ内で許されるユーザー指定のＰａｒｔ番号の再生機能を提供することができる。
【００７２】
図１２は、パネル表示部１６に表示されるＥＡＯＢの再生に関する情報の表示の一例を示す図である。
【００７３】
図１２に示すように、パネル表示部１６は、ディスクに記録されているＥＡＯＢを表示し、Ｓｔａｒｔ Ｐｏｉｎｔ及びＥｎｄ Ｐｏｉｎｔで指定される再生対象の複数個のオーディオデータ（Part of Audio #n、#n+1、…）を表示し、この再生対象の複数個のオーディオデータ上における現在再生中の位置（現在再生中のオーディオデータの位置）を特定表示する。これにより、複数個のオーディオデータの中の現在再生中の位置（現在再生中のオーディオデータの位置）を案内表示することができる。現在の再生位置は、ＥＡＯＢのバッファ量と、現在再生しているバッファの位置から、算出することができる。このような表示により、ユーザーは、視覚的にＥＡＯＢの再生位置を把握することができる。
【００７４】
図１３は、ＥＶＯＢに含まれるオーディオデータ（第１のオーディオデータ）に加えて、ＥＡＯＢ（第２のオーディオデータ）が追加されたことによる効果を説明するための図である。
【００７５】
ＥＶＯＢは、パック構造のデータ、つまりナビパック（Ｖ０１）、ビデオパック（Ｖ０２）、オーディオパック（Ｖ０３）、副映像パック（Ｖ０４）、グラフィックパック（Ｖ０５）のデータにより構成されている。このため、例えば、メニュー画面において、サーチが実行されている間（メニューの遷移中）は、ＥＶＯＢにより音声を出力することはできない。結果的に、メニュー画面において、サーチが実行されている間（メニューの遷移中）は、無音状態となってしまう。
【００７６】
これに対して、ＥＡＯＢは、エレメンタリのオーディオデータ（第２のオーディオデータ）で構成されている。つまり、ＥＡＯＢは、主映像と非同期に再生することができる。このため、例えば、メニュー画面において、サーチが実行されている間（メニューの遷移中）でも、ＥＡＯＢにより音声を出力することができる（例えば図６に示すPart of Audio #4,#5,#6により音声を出力することができる）。結果的に、メニュー画面において、サーチが実行されている間（メニューの遷移中）、無音状態となってしまうのを防止できる。
【００７７】
なお、サーチが実行されている間（メニューの遷移中）、ＥＡＯＢに基づく再生処理を実行するか否かは、例えばユーザーが選択することができる。
【００７８】
図１４は、ＥＡＯＢに基づく再生処理を実行するか否かを選択する再生選択処理の一例を示すフローチャートである。
【００７９】
例えば、キー入力部１５を介して、ＥＡＯＢに基づく再生処理が選択されると（ＧＯ１、ＹＥＳ）、ＥＡＯＶ再生情報に基づきＥＡＯＢが再生される（Ｇ０２）。つまり、ＰＧＣ情報に基づき再生されるビデオデータとは独立したオーディオデータが再生される。これに対して、ＥＶＯＢに基づく再生処理が選択されると（ＧＯ３、ＹＥＳ）、ＰＧＣ情報に基づきＥＶＯＢが再生される（Ｇ０４）。つまり、ビデオデータに同期したオーディオデータが再生される。
【００８０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００８１】
【図１】本発明の一実施形態の情報再生装置の概略構成を示す図である。
【図２】光ディスクに記録されているＥＡＯＢ管理情報の一例を示す図である。
【図３】光ディスクに記録されているＥＡＯＢのエントリーポイント情報の一例を示す図である。
【図４】光ディスクに記録されているＥＡＯＢ再生情報の一例を示す図である。
【図５】ＥＶＯＢのデータ構成の一例を示す図である。
【図６】ＥＡＯＢのデータ構成の一例を示すとともに、ＥＡＯＢの再生の一例を示す図である。
【図７】ＥＡＯＢ再生処理の第１ステップとしてのエントリーポイントの取得処理の一例を示すフローチャートである。
【図８】ＥＡＯＢ再生処理の第２ステップとしてのＥＡＯＢの再生可否及びＥＡＯＢ再生区間決定処理の一例を示すフローチャートである。
【図９】ＥＡＯＢ再生処理の第３ステップとしてのＰａｒｔ数表示処理及び再生中のＰａｒｔ番号表示処理の一例を示すフローチャートである。
【図１０】再生区間のＰａｒｔ数算処理の一例を示すフローチャートである。
【図１１】ユーザーからの再生Ｐａｒｔ番号変更要求に対応する再生Ｐａｒｔ番号サーチ処理の一例を示すフローチャートである。
【図１２】パネル表示部に表示されるＥＡＯＢの再生に関する情報の表示の一例を示す図である。
【図１３】ＥＶＯＢに含まれるオーディオデータ（第１のオーディオデータ）に加えて、ＥＡＯＢ（第２のオーディオデータ）が追加されたことによる効果を説明するための図である。
【図１４】ＥＡＯＢに基づく再生処理を実行するか否かを選択する再生選択処理の一例を示すフローチャートである。
【符号の説明】
【００８２】
２…ディスクドライブ部、３…ストリームバッファ部、４…ストリームデコーダ部、５…ビデオデコーダ部、６…副映像デコーダ部、７…グラフィックデコーダ部、８…表示制御部、９…モニタ部、１０…ＥＡＯＢバッファ部、１１…オーディオデコーダ部、１２…Ｄ／Ａ部、１３…スピーカ部、１４…システム制御部、１５…キー入力部、１６…パネル表示部
【図１】
2005346767.tif 000003
【図２】
2005346767.tif 000004
【図３】
2005346767.tif 000005
【図４】
2005346767.tif 000006
【図５】
2005346767.tif 000007
【図６】
2005346767.tif 000008
【図７】
2005346767.tif 000009
【図８】
2005346767.tif 000010
【図９】
2005346767.tif 000011
【図１０】
2005346767.tif 000012
【図１１】
2005346767.tif 000013
【図１２】
2005346767.tif 000014
【図１３】
2005346767.tif 000015
【図１４】
2005346767.tif 000016